(57)【要約】【目的】本発明は、かごを基部から安全かつ簡単に着脱できる着脱かご装置を提供するものである。【解決手段】かご１０を上部に取付けた上部ハウジング３４に、長さの途中に溝部３２を形成すると共にその先端に先端テーパ部を形成した突出部材２８を下部に取付ける。基部１８に固定する下部ハウジング１６には、第一へこみ部６４を形成した第一アーム５６と、第二へこみ部６６を形成した第二アーム５８とを備える。それら第一アーム５６と第二アーム５８との間にスプリング６０を取付け、スプリング６０によって第一へこみ部６４と第二へこみ部６６とで空間６８を形成する。上部ハウジング３４を下部ハウジング１６に被せることで、突出部材２８が空間６８を広げ、その後、スプリング６０によって再び形成した空間６８に突出部材２８が嵌合し、かご１０を上部に取付けた上部ハウジング３４が基部１８に固定状態となる。【選択図】図１
2011152811.tif 000002
【特許請求の範囲】
【請求項１】
かごと、前記かごの下側に固定される上部ハウジングと、基部に固定される下部ハウジングと、上部ハウジングの下側に固定されるものであってその長さの途中に形成される溝部を形成した突出部材と、前記突出部材の前記溝部を挟持または解除させるためのものであって前記下部ハウジングに取付けられる挟持手段と、前記下部ハウジングに取付けられるものであって前記挟持手段が前記突出部材の前記溝部の挟持を解除した際に前記突出部材を上方に押し上げるための付勢手段とを有することを特徴とする着脱かご装置
【請求項２】
前記挟持手段は、前記下部ハウジングに対して回転自在に取付けられるものであって側面に第一へこみ部を形成した第一アームと、前記下部ハウジングに対して取付けられるものであって側面に第二へこみ部を形成した第二アームと、前記第一アームと前記第二アームとに取付けられるスプリングとから成り、前記第一アームや前記第二アームに外力が働かない場合に、前記スプリングによって前記第一アームの側面と前記第二アームの側面とを接触させて前記第一へこみ部と前記第二へこみ部が繋がって１つの空間を形成し、前記第一アームや前記第二アームに外力が働いた場合に、前記第一へこみ部と前記第二へこみ部とが離れることを特徴とする請求項１記載の着脱かご装置。
【請求項３】
前記付勢手段は、前記下部ハウジングに固定されるものであって前記挟持手段が前記突出部材の前記溝部を挟持する際に前記突出部材と接触するものである板部材と、前記板部材を前記突出部材側に押圧するための板ばねとから成ることを特徴とする請求項１または２記載の着脱かご装置。
【請求項４】
前記上部ハウジングが上面部材と側面部材とから成り、前記上面部材に複数の第一嵌合手段を形成し、前記下部ハウジングが底面部材と側面部材とから成り、前記底面部材に前記第一嵌合手段と嵌合する複数の第二嵌合手段を形成したことを特徴とする請求項１乃至３のうちのいずれか１項記載の着脱かご装置。
【請求項５】
前記上部ハウジングの前記側面部材に切欠を形成し、前記下部ハウジングの前記側面部材に切欠を形成し、前記第一アームが前記上部ハウジングの前記側面部材の前記切欠と前記下部ハウジングの前記側面部材の前記切欠とを挿通するようにしたことを特徴とする請求項４項記載の着脱かご装置。
【請求項６】
前記下部ハウジングに固定する中間ハウジングを備え、前記中間ハウジングが上面部材と側面部材とから成り、前記中間ハウジングの前記上面部材に、前記上面部材の前記上面部材に形成した複数の第一嵌合手段と嵌合する第二嵌合手段を形成したことを特徴とする請求項１乃至３のうちのいずれか１項記載の着脱かご装置。
【請求項７】
前記上部ハウジングの前記側面部材に切欠を形成し、前記中間ハウジングの前記側面部材に切欠を形成し、前記下部ハウジングの前記側面部材に切欠を形成し、前記第一アームが前記上部ハウジングの前記切欠と前記中間ハウジングの前記切欠と前記下部ハウジングの前記切欠とを挿通するようにしたことを特徴とする請求項６項記載の着脱かご装置。
【請求項８】
前記中間ハウジングの前記上面部材の中央位置に、前記突出部材を挿通させるための穴を形成した弾性部材を取付けたことを特徴とする請求項６または７記載の着脱かご装置。
【発明の詳細な説明】
【技術分野】
【０００１】
本発明は、自転車の荷台等の基部に容易かつ安全にかごを着脱することができる着脱かご装置に関するものである。
【背景技術】
【０００２】
従来から自転車には一般に、ハンドルの前方にかごが取付けられており、自転車の後方には荷台が取付けられている。スーパーやコンビニ等で買い物をした場合には、商品をレジ袋や買い物袋に入れ、それらレジ袋や買い物袋をハンドルの前方のかごに入れている。レジ袋や買い物袋が前方のかごに入りきらなくなった場合には、荷台の上にレジ袋や買い物袋を載せ、レジ袋や買い物袋を紐で荷台に縛っている。
【０００３】
自転車の荷台に袋を紐で縛る手間を省くために、自転車の荷台に後籠を着脱自在に取付ける自転車の後籠取り付け装置が、特許文献１に示されている。
【先行技術文献】
【特許文献】
【０００４】
【特許文献１】特開２００１−１１４１５０
【発明の概要】
【発明が解決しようとする課題】
【０００５】
特許文献１の自転車の後籠取り付け装置では、自転車の荷台に取付ける後籠は、コの字形状のアームを２個のねじりばねによって常に荷台側に倒れる方向に付勢されているものである。このねじりばねの付勢力によって、アームで後籠を荷台に取付けた状態を保つものである。言い換えると、この特許文献１は、コの字形状のアームと２個のねじりばねとから成るねずみ取りに類似した構造である。この特許文献１の自転車の後籠取り付け装置では、後籠が荷台から外れた状態では、コの字形状のアームは２個のねじりばねによって荷台の上に接触しており、荷台に後籠を取り付ける場合には、コの字形状のアームが係止できる位置まで、コの字形状のアームを２個のねじりばねのばね力に抗して持ち上げなければならない。
【０００６】
力の弱い人の場合には、コの字形状のアームを係止できる位置まで、コの字形状のアームを持ち上げることができない。その場合には、ねじりばねのばね力によってコの字形状のアームが荷台に戻り、場合によっては、コの字形状のアームと荷台との間に手が挟まれる危険性もある。
【０００７】
本発明は、かごを基部から安全かつ簡単に着脱できる着脱かご装置を提供することを目的とするものである。
【課題を解決するための手段】
【０００８】
本発明に係る着脱かご装置は、かごと、前記かごの下側に固定される上部ハウジングと、基部に固定される下部ハウジングと、上部ハウジングの下側に固定されるものであってその長さの途中に形成される溝部を形成した突出部材と、前記突出部材の前記溝部を挟持または解除させるためのものであって前記下部ハウジングに取付けられる挟持手段と、前記下部ハウジングに取付けられるものであって前記挟持手段が前記突出部材の前記溝部の挟持を解除した際に前記突出部材を上方に押し上げるための付勢手段とを有することを特徴とするものである。本発明は、前記挟持手段は、前記下部ハウジングに対して回転自在に取付けられるものであって側面に第一へこみ部を形成した第一アームと、前記下部ハウジングに対して取付けられるものであって側面に第二へこみ部を形成した第二アームと、前記第一アームと前記第二アームとに取付けられるスプリングとから成り、前記第一アームや前記第二アームに外力が働かない場合に、前記スプリングによって前記第一アームの側面と前記第二アームの側面とを接触させて前記第一へこみ部と前記第二へこみ部が繋がって１つの空間を形成し、前記第一アームや前記第二アームに外力が働いた場合に、前記第一へこみ部と前記第二へこみ部とが離れることを特徴とするものである。本発明は、前記付勢手段は、前記下部ハウジングに固定されるものであって前記挟持手段が前記突出部材の前記溝部を挟持する際に前記突出部材と接触するものである板部材と、前記板部材を前記突出部材側に押圧するための板ばねとから成ることを特徴とするものである。本発明は、前記上部ハウジングが上面部材と側面部材とから成り、前記上面部材に複数の第一嵌合手段を形成し、前記下部ハウジングが底面部材と側面部材とから成り、前記底面部材に前記第一嵌合手段と嵌合する複数の第二嵌合手段を形成したことを特徴とするものである。本発明は、前記上部ハウジングの前記側面部材に切欠を形成し、前記下部ハウジングの前記側面部材に切欠を形成し、前記第一アームが前記上部ハウジングの前記側面部材の前記切欠と前記下部ハウジングの前記側面部材の前記切欠とを挿通するようにしたことを特徴とするものである。本発明は、前記下部ハウジングに固定する中間ハウジングを備え、前記中間ハウジングが上面部材と側面部材とから成り、前記中間ハウジングの前記上面部材に、前記上面部材の前記上面部材に形成した複数の第一嵌合手段と嵌合する第二嵌合手段を形成したことを特徴とするものである。本発明は、前記上部ハウジングの前記側面部材に切欠を形成し、前記中間ハウジングの前記側面部材に切欠を形成し、前記下部ハウジングの前記側面部材に切欠を形成し、前記第一アームが前記上部ハウジングの前記切欠と前記中間ハウジングの前記切欠と前記下部ハウジングの前記切欠とを挿通するようにしたことを特徴とするものである。本発明は、前記中間ハウジングの前記上面部材の中央位置に、前記突出部材を挿通させるための穴を形成した弾性部材を取付けたことを特徴とするものである。
【発明の効果】
【０００９】
本発明の着脱かご装置では、かごを基部に取付ける場合には、かごを取付けた上部ハウジングを下部ハウジングの上から被せて下方に押すだけで取付けが完了する。一方、かごを取付けた上部ハウジングを下部ハウジングから外すには、上部ハウジングから外側に突出しているアームを横方向に移動（押すか引く）すれば、外すことができる。このように、かごの着脱が簡単で、しかも手に怪我をするおそれが無いものである。本発明の着脱かご装置では、かごを持ち運ぶことができるので、購入した商品をレジでかごの中に直接入れることができ、購入した商品をレジ袋や買い物袋に入れ直す手間を省くことができる。
【図面の簡単な説明】
【００１０】
【図１】本発明に係る着脱かご装置に使用するハウジングの分解斜視図である。
【図２】図１に示すハウジングの分解断面図である。
【図３】図２に示すハウジングを組み合わせた状態の断面図である。
【図４】下部ハウジングに取付ける挟持手段と付勢手段とを示す分解斜視図である。
【図５】第一アームと第二アームとを開閉する状態を示す構成図である。
【図６】下部ハウジングに取付ける挟持手段が突出部材を挟持している状態を示す断面図である。
【発明を実施するための形態】
【００１１】
次に、本発明を図面に基づいて説明する。図１は本発明に係る着脱かご装置に使用するハウジングの分解斜視図、図２は図１のハウジングの分解断面図、図３は図２を組み立てた状態の断面図である。本発明の着脱かご装置は、そのハウジングとして、かご１０を上方に取付けた上部ハウジング１２と、その上部ハウジング１２を上方から被せられる中間ハウジング１４と、中間ハウジング１４の下位に位置して中間ハウジング１４と固定状態となる下部ハウジング１６とから成る。上部ハウジング１２や中間ハウジング１４や下部ハウジング１６の素材は、金属であることが望ましいが、それに限るものではない。下部ハウジング１６は、自転車の荷台等の基部１８に固定される。基部１８は自転車の荷台に限るものではなく、上部ハウジング１２付のかご１０を着脱するものであればどのようなものであっても良い。
【００１２】
上部ハウジング１２は箱の蓋のような形状であり、上面部材２０と、その上面部材２０と連結する側面部材２２とから成る。上面部材２０の上側にかご１０が固定され、側面部材２２の一部に切欠２４（高さの途中から下縁にかけて形成される空間）が形成されている。上面部材２０には、下方に向けて突出する複数（図１では４個）の第一嵌合手段としての突起２６が形成されている。
【００１３】
上面部材２０の中央下側に第一係合手段としての突出部材２８が固定される。突出部材２８の先端側には、先端の直径が小さく、根元に向かうにつれて直径が大きくなる先端テーパ部３０が形成されている。突出部材２８において、先端テーパ部３０位置より根元側には環状の溝部３２が形成されており、その環状の溝部３２位置より根元側は張り出し部３３が形成されている。環状の溝部３２の直径は、その溝部３２の上下の位置（張り出し部３３や先端テーパ部３０）の直径より小さいものに設定する。
【００１４】
中間ハウジング１４は、上部ハウジング１２より一回り小さい箱の蓋のような形状であり、上面部材３４と、その上面部材３４と連結する側面部材３６とから成る。上面部材３４の中心位置に、中心に穴３８が開いたゴム等の可撓性のある弾性部材４０が取付けられる。この弾性部材４０の中心の穴３８には、突出部材２８が挿入引出可能となっている。弾性部材４０の中心の穴３８には、突出部材２８の張り出し部３３までが挿通するように設定されている。この弾性部材４０は、上部ハウジング１２の上限振動を吸収するためのものである。中間ハウジング１４の側面部材３６の一部に切欠４２（高さの途中から下縁にかけて形成される空間）が形成されている。上面部材３４には、下方に向けて突出する複数（図１では４個）の第二嵌合手段としての凹み部４４が形成されている。この凹み部４４は、そこに上部ハウジング１２の突起２６が嵌合できる大きさとなっている。なお、凹み部４４を上部ハウジング１２に設けて、突起２６を中間ハウジング１４に設けても良い。
【００１５】
下部ハウジング１６は、中間ハウジング１４と併せて箱となる箱の下側のような形状である。下部ハウジング１６は、底面部材４６と、その底面部材４６と連結する側面部材４８とから成る。下部ハウジング１６の側面部材４８に切欠５０（側面部材４８の高さの中間位置で水平方向に長い空間）が形成されている。図４に示すように、下部ハウジング１６の内部で底面部材４６の上に、突出部材２８を挟持してその突出部材２８が上下に移動するのを阻止するための挟持手段５２と、突出部材２８や上部ハウジング１２を上方に付勢移動させるための付勢手段５４が取付けられている。
【００１６】
挟持手段５２は、第一アーム５６と第二アーム５８とスプリング６０から成る。一方の第一アーム５６は、下部ハウジング１６に一端を中心に回転自在に取付けられる。第一アーム５６と第二アーム５８との間には、それぞれにスプリング６０の一端ずつが取付けられ、第一アーム５６の側面はスプリング６０によって常に第二アーム５８の側面に接触するよう付勢させられている。第一アーム５６は、下部ハウジング１６の切欠５０と中間ハウジング１４の切欠４２と上部ハウジング１２の切欠２４とを挿通して、その第一アーム５６の自由先端は上部ハウジング１２の側面部材２２より外部に突出するよう設定されている。その第一アーム５６の自由先端は、かご１０の側面より外方に突出しない長さに設定する。これによって、第一アーム５６が何かに引っ掛かることを防止することができる。第一アーム５６の先端は上部ハウジング１２の側面部材２２より外部に突出している箇所には、操作部６２が形成されている。第二アーム５８は、下部ハウジング１６の切欠５０を挿通するが、上部ハウジング１２の切欠２４を挿通しないように設定する。
【００１７】
第一アーム５６にはその長さの途中（回転中心位置とスプリング６０の取付け位置との中間位置）で、第二アーム５８との接合部において、第二係合手段としての半円の第一へこみ部６４が形成される。一方、第二アーム５８にはその長さの途中で第一アーム５６との接合部において、第二係合手段としての半円の第二へこみ部６６が形成される。第一アーム５６と第二アーム５８が接合した状態においては（図５（ａ））、第一へこみ部６４と第二へこみ部６６が連絡して第二係合手段としての円形の空間６８ができる。この円形の空間６８の直径は、突出部材２８の溝部３２の直径よりやや大きい寸法に形成されていが、溝部３２の形成位置より上下の位置（張り出し部３３や先端テーパ部３０）の直径よりは小さい寸法に設定されている。第一へこみ部６４と第二へこみ部６６が連絡して形成される円形の空間６８の位置は、下部ハウジング１６の中心位置（突出部材２８と合致する位置）となるよう設定する。
【００１８】
図４に示すように、第一アーム５６のスプリング６０の取付け位置付近にリンク機構７０の一端が取付けられ、第二アーム５８のスプリング６０の取付け位置付近にリンク機構７０の他端が取付けられる。リンク機構７０は、第二アーム５８に対して第一アーム５６が移動した際に、第一アーム５６が、間違った位置に移動しないように、即ち、所定の位置に沿って移動するようにするものである。
【００１９】
図４及び図６に示すように、第一アーム５６と第二アーム５８の下側に、第一アーム５６や第二アーム５８と共に付勢手段５４が下部ハウジング１６に取付けられる。この付勢手段５４は、上方の板部材７２とその下方の板ばね７４とからなる。上部ハウジング１２が中間ハウジング１４の上から被せられた状態では、突出部材２８の先端テーパ部３０が板部材７２と接触して、その先端テーパ部３０によって板部材７２が下方へ押し下げられるものである。板ばね７４は、下方へ押し下げられた板部材７２を上方に押し上げる働きをするものである。第一アーム５６や第二アーム５８と、板部材７２と、板ばね７４とは、ピン状の支持部材７６によって支持され、その支持部材７６は固定手段７８によって、下部ハウジング１６に固定されている。
【００２０】
次に、この着脱かご装置の事前の設置状態について説明する。先ず、基部１８（例えば自転車の荷台）に下部ハウジング１６を既知の固定手段によって固定する（図２）。更に、下部ハウジング１６に中間ハウジング１４を既知の固定手段によって固定する（図３）。下部ハウジング１６に中間ハウジング１４を固定した状態においては、図１や図５（ａ）に示すように、スプリング６０の働きによって第一アーム５６の側面と第二アーム５８の側面とが接触し、第一アーム５６の第一へこみ部６４と第二アーム５８の第二へこみ部６６とで、円形の空間６８が形成される。この状態において、第一アーム５６の操作部６２は、中間ハウジング１４の切欠４２よりも外方に突出している。第一アーム５６の第一へこみ部６４と第二アーム５８の第二へこみ部６６とで形成される空間６８は円形に限るものではないが、円形の方が好ましい。
【００２１】
次に、この着脱かご装置の着脱操作について説明する。基部１８と下部ハウジング１６と中間ハウジング１４とが固定された状態において、上部ハウジング１２の切欠２４の位置を第一アーム５６の先端の位置とを合致させ、かつ、上部ハウジング１２の複数の第一嵌合手段（突起）２６と中間ハウジング１４の複数の第二嵌合手段（凹み部）４４とを合致させるようにして、上部ハウジング１２を中間ハウジング１４の上から被せる。上部ハウジング１２の複数の突起２６と中間ハウジング１４の複数の凹み部４４とが嵌合することによって、上部ハウジング１２は中間ハウジング１４や下部ハウジング１６に対して回転したりずれたりしないようになる。
【００２２】
上部ハウジング１２を中間ハウジング１４の上から被せると、上部ハウジング１２に取付けた突出部材２８の先端テーパ部３０が中間ハウジング１４に取付けた弾性部材４０の穴３８を挿通し、第一アーム５６と第二アーム５８で形成された円形の空間６８に至り、突出部材２８の先端テーパ部３０がスプリング６０のばね力に抗して、空間６８を開くように第一アーム５６を回転させ（第一アーム５６の第一へ込み部６４が第二アーム５８の第二へ込み部６６から離れ）、突出部材２８の先端テーパ部３０が空間６８を挿通する。更に、突出部材２８の張り出し部３３が中間ハウジング１４に取付けた弾性部材４０の穴３８を挿通する。突出部材２８の先端テーパ部３０が円形の空間６８を挿通した後、スプリング６０のばね力によって、第一アーム５６が元の位置に戻されて第二アーム５８と接触する。この結果、第一アーム５６の第一へ込み部６４と第二アーム５８の第二へ込み部６６とが連絡して、円形の空間６８が形成される。この円形の空間６８の位置に突出部材２８の溝部３２が位置し、突出部材２８が第一アーム５６と第二アーム５８とから成る挟持手段５２から上下方向に外れなくなる。
【００２３】
上部ハウジング１２を中間ハウジング１４の上方から被せることにより、下部ハウジング１６に取付けた挟持手段５２によって、上部ハウジング１２が上下方向へ移動しなくなり、上部ハウジング１２を下部ハウジング１６（基部１８）に固定される。このように、上部ハウジング１２を中間ハウジング１４の上方から被せるだけで、上部ハウジング１２に取付けたかご１０を基部１８に容易にしかも手を挟むことなく安全に取付けることができる。
【００２４】
次に、かご１０を基部１８から取り外す場合には、第一アーム５６を第二アーム５８から離れるように、第一アーム５６の操作部６２を図５（ａ）でＸ方向に移動させる。即ち、図５（ａ）の状態から図５（ｂ）にする。これによって、突出部材２８の溝部３２を挟んでいた空間６８の面積が広くなり、突出部材２８は挟持手段５２による挟持から外れる。この状態において、板ばね７４が板部材７２を上方に押圧し、板部材７２が突出部材２８を上方に押される。この結果、かご１０付き上部ハウジング１２が上方に押し上げられ、かご１０付き上部ハウジング１２が中間ハウジング１４や下部ハウジング１６から外れる。このように、かご１０付き上部ハウジング１２を中間ハウジング１４や下部ハウジング１６から外す場合には、第一アーム５６の操作部６２を一方側に引く操作を行うだけで済む。なお、かご１０付き上部ハウジング１２が中間ハウジング１４や下部ハウジング１６から外れた後、第一アーム５６の操作部６２から手を離すと、スプリング６０の働きによって、第一アーム５６は第二アーム５８と接触するように移動する。即ち、図５（ｂ）の状態から図５（ａ）の状態になる。
【００２５】
なお、図１において、着脱かご装置のハウジングを、上部ハウジング１２と中間ハウジング１４と下部ハウジング１６の３つのハウジングとしたが、中間ハウジング１４を省略して、上部ハウジング１２と下部ハウジング１６との２つから構成するようにしても良い。その場合には、中間ハウジング１４に形成していた第二嵌合手段としての凹み部４４を下部ハウジング１６に設けるようにする。また、中間ハウジング１４に設けていた穴３８付き弾性部材４０を省略してもよい。あるいは、下部ハウジング１６の底面部材４６の上方にアーチ型のアームを設け、そのアーチ型のアームに穴３８付き弾性部材４０を取付けるようにしても良い。
【符号の説明】
【００２６】
１０  かご
１２  上部ハウジング
１４  中間ハウジング
１６  下部ハウジング
１８  基部
２６  突起
２８  突出部材
３０  先端テーパ部
３２  溝部
３８  穴
４０  弾性部材
４４  凹み部
５２  挟持手段
５４  付勢手段
５６  第一アーム
５８  第二アーム
６０  スプリング
６２  操作部
６４  第一へこみ部
６６  第二へこみ部
６８  空間
７０  リンク機構
７２  板部材
７４  板ばね
【図１】
2011152811.tif 000003
【図２】
2011152811.tif 000004
【図３】
2011152811.tif 000005
【図４】
2011152811.tif 000006
【図５】
2011152811.tif 000007
【図６】
2011152811.tif 000008